(57)【要約】【課題】切り取られた画像データと手書き情報とを一組として保存する。【解決手段】画像データの一部領域を切り取り領域として指定する切り取り領域指定部（１３）と、切り取り領域の指定が保持された状態で、手書き情報を画像データに付加する手書き情報付加部（１４）と、切り取り画像データの全部または一部と、手書き情報を、記憶装置へ保存する切り取り画像データ保存部（１６）を備える。【選択図】図１
2014071539.tif 000002
【特許請求の範囲】
【請求項１】
表示画面に表示された画像データを編集するための画像データ編集装置であって、
前記画像データに係る一部の領域を切り取り領域として指定する切り取り領域指定手段と、
前記切り取り領域の指定が保持された切り取り領域指定状態で、前記表示画面への接触により利用者が手書き入力した内容を手書き情報として前記画像データに付加する手書き情報付加手段と、
前記切り取り領域に含まれる切り取り画像データの全部または一部、および前記手書き情報を、記憶装置へ保存する切り取り画像データ保存手段と、を備えていることを特徴とする画像データ編集装置。
【請求項２】
前記切り取り領域指定状態において、前記切り取り領域指定手段は、前記切り取り領域の追加を行うことを特徴とする請求項１に記載の画像データ編集装置。
【請求項３】
前記切り取り領域指定状態において、前記切り取り領域指定手段は、前記切り取り領域の全部あるいは一部の領域指定を解除することを特徴とする請求項１または２に記載の画像データ編集装置。
【請求項４】
前記切り取り領域指定状態において、前記切り取り領域指定手段は、前記切り取り領域の一部または全部の領域について、座標を変更することを特徴とする請求項１から３のいずれか１項に記載の画像データ編集装置。
【請求項５】
前記切り取り領域指定状態において、前記切り取り領域指定手段は、前記切り取り領域の一部または全部の領域について、サイズを変更することを特徴とする請求項１から４のいずれか１項に記載の画像データ編集装置。
【請求項６】
表示画面に表示された画像データを編集するための画像データ編集方法であって、
前記画像データに係る一部の領域を切り取り領域として指定する切り取り領域指定ステップと、
前記切り取り領域の指定が保持された切り取り領域指定状態で、前記表示画面への接触により利用者が手書き入力した内容を手書き情報として前記画像データに付加する手書き情報付加ステップと、
前記切り取り領域に含まれる切り取り画像データの全部または一部、および前記手書き情報を、記憶装置へ保存する切り取り画像データ保存ステップと、を含むことを特徴とする画像データ編集方法。
【発明の詳細な説明】
【技術分野】
【０００１】
本発明は、画像データ編集装置、および画像データ編集方法に関する。
【背景技術】
【０００２】
近年、スマートフォンやＰＤＡ（Personal Digital Assistants）などの携帯端末の技術分野においては、タッチパネルの普及に伴い、タッチパネルのタッチ画面上に仮想的に表示されたインターフェース画像に対する操作により、携帯端末に対して指令を与えるための、ＧＵＩ（グラフィカル・ユーザ・インターフェイス）の開発が盛んになってきている。
【０００３】
一方、画像を、タブレットやタッチパネルなどの操作により、表示画像へ、手書き情報を加え、また、表示画像の一部を切り取るなど、表示画像をスクラップブックのように扱う、電子スクラップブックや、アプリケーションが、現れてきている。
【０００４】
以上のように、画像データをスクラップブックのように扱う技術の一例として、特許文献１に開示された、紙上に印刷されている文章や画像の内、必要な部分のみを精確に切り取る原稿画像切取機能を実現する装置がある。この装置では、原稿画像切取処理において、ＣＰＵは、印刷装置の用紙給紙位置にセットされた切り取り対象原稿に印刷された画像をスキャナを制御して読み取らせ、この読み取った画像データをＲＡＭ内のメモリ領域に保存して表示装置に表示し、この画像データに対するカッティングデータの作成処理あるいは修正処理を選択させ、作成処理が選択されると、予め用意した切取型を選択させ、その切取位置と大きさを標示画面上で指定させ、その指定位置における切取型の大きさに基づいてカッティングデータを生成し、そのカッティングデータを記憶装置内に保存し、この保存したカッティングデータに基づいてカッティング装置を制御して原稿上の画像を切り取らせる。
【０００５】
また、特許文献２には、ペン入力式情報処理装置で、電子ペンによる書入れ動作に対する表示領域での表示動作の追従性を向上する方法として、ファイル保存モードに設定された状態にあって、電子ペンで書入れ領域に書かれた手書き情報を、その座標情報（Ｘ座標およびＹ座標など）を検出しながら表示画面に表示すると共にインクデータファイルに書き込んで保存する手書きデータ保存方法であり、例えば３０００個程度の座標データを格納するための配列を用意し、電子ペンによる書入れ中においては用意した配列に座標データを一時的に格納し、電子ペンが書入れ領域から離れた瞬間のタイミングで前記配列に格納された座標データをインクデータファイルに転送して、このインクデータファイルに手書きデータを保存する方法が開示されている。
【０００６】
また、特許文献３には、紙上の文字列・図・写真を電子的に取り込み、取り込んだデータの一部または全てを記録し、編集と再利用する装置として、入力手段で電子的に取り込んだイメージデータを文字・図・写真等に領域分離手段で領域分離し、字列の領域は、文字認識手段でコードに変換し、訂正手段で誤認識されたコードを修正し、編集手段で一部あるいは全てについて再利用と編集を行ったのち、保存手段で文字列の部分についてはコードを記録し、その他の部分についてはイメージデータを記録する装置が開示されている。
【先行技術文献】
【特許文献】
【０００７】
【特許文献１】特開２０００−２１８８８２公報（２０００年８月８日公開）
【特許文献２】特開平７−１０４９１８公報（１９９５年４月２１日公開）
【特許文献３】特開平５-３０３６１９公報（１９９３年１１月１６日公開）
【発明の概要】
【発明が解決しようとする課題】
【０００８】
しかしながら、上述のような従来技術は、画像データの一部を切り取り、手書き情報を加えようとした場合、画像データを切り取って保存した後に、切り取った後の画像データを編集する必要がある。この点において、従来技術は、切り取られた画像データに手書き情報を付加する際の利便性が良くないという問題がある。
【０００９】
例えば、特許文献１に記載の装置では、紙上に印刷されている文章や画像の内、複数の部分を切り取ることができるようになっているが、手書き情報を加えることができない。
【００１０】
また、特許文献２に開示された方法では、表示装置の画面に、電子ペンにより、書いた文字等が表示され、同時に、書かれた文字等のデータは入力情報としてコンピュータ本体の記憶装置に保存することができるが、画像データを切り取ることができない。
【００１１】
さらに、特許文献３に記載の装置では、タブレットによる操作でイメージデータに文字を追加し、また、イメージデータの一部の移動、削除を行ったのち、保存手段で保存することができるが、画像データの切り取りに相当する、イメージデータの一部の削除を行った後に、そのまま手書き情報を加えることができない。
【００１２】
本発明は、前記従来の問題点に鑑みてなされたものであって、その目的は、切り取られた画像データに手書き情報を付加する際の利便性が向上された画像データ編集装置などを提供することにある。
【課題を解決するための手段】
【００１３】
上記の課題を解決するために、本発明の一態様に係る画像データ編集装置は、表示画面に表示された画像データを編集するための画像データ編集装置であって、前記画像データに係る一部の領域を切り取り領域として指定する切り取り領域指定手段と、前記切り取り領域の指定が保持された切り取り領域指定状態で、前記表示画面への接触により利用者が手書き入力した内容を手書き情報として前記画像データに付加する手書き情報付加手段と、前記切り取り領域に含まれる切り取り画像データの全部または一部、および前記手書き情報を、記憶装置へ保存する切り取り画像データ保存手段と、を備えている。
【００１４】
また、本発明の一態様に係る画像データ編集方法は、表示画面に表示された画像データを編集するための画像データ編集方法であって、前記画像データに係る一部の領域を切り取り領域として指定する切り取り領域指定ステップと、前記切り取り領域の指定が保持された切り取り領域指定状態で、前記表示画面への接触により利用者が手書き入力した内容を手書き情報として前記画像データに付加する手書き情報付加ステップと、前記切り取り領域に含まれる切り取り画像データの全部または一部、および前記手書き情報を、記憶装置へ保存する切り取り画像データ保存ステップと、を含む方法である。
【発明の効果】
【００１５】
本発明の一態様によれば、画像データから一部を切り取って手書き情報を加える際の利便性を向上することができる、という効果を奏する。
【図面の簡単な説明】
【００１６】
【図１】本発明の一実施形態に係る画像データ編集装置の構成を示す機能ブロック図である。
【図２】図１の画像データ編集装置に係る動作を示すフローチャートである。
【図３】図１の画像データ編集装置により表示される画面の遷移を示す図である。
【図４】切り取り領域に含まれる画像と、手書き情報とを示す図である。
【図５】図１の画像データ編集装置により実行される切り取り領域指定処理を示すフローチャートである。
【図６】図１の画像データ編集装置により実行される手書き入力処理を示すフローチャアートである。
【発明を実施するための形態】
【００１７】
本発明の一実施形態について、図１〜図６に基づいて説明すれば、以下のとおりである。以下の特定の項目で説明する構成以外の構成については、必要に応じて説明を省略する場合があるが、他の項目で説明されている場合は、その構成と同じである。また、説明の便宜上、各項目に示した部材と同一の機能を有する部材については、同一の符号を付し、適宜その説明を省略する。
【００１８】
〔１．装置構成について〕
まず、図１に基づき、本発明の一実施形態に係る画像データ編集装置１０の構成について説明する。図１は、表示制御部１、記憶部２、および画像データ編集装置１０を示すブロック図である。
【００１９】
表示制御部１は、表示画面（図示せず）における画像表示を制御するものである。また、記憶部（記憶装置）２は、各種の画像情報等を記憶するものであり、ＨＤＤ（Hard Disk Drive）やフラッシュメモリにより実現される。
【００２０】
また、図１に示す通り、画像データ編集装置１０は、入力部（入力手段）１１と、機能選択部１２と、切り取り領域指定部（切り取り領域指定手段）１３と、手書き情報付加部（手書き情報付加手段）１４と、編集情報管理部１５と、および画像データ保存部（画像データ保存手段）１６とを備えている。以下、画像データ編集装置１０を構成するこれらのブロックについて概略を説明する。
【００２１】
入力部１１は、利用者がタッチパネルへの接触により入力した情報であるタッチ入力情報を、機能選択部１２へ出力するものである。このタッチ入力情報には、利用者がタッチパネルに接触した部位の位置を座標群により示すタッチ位置情報が含まれる。また、タッチパネルが感圧式タッチパネルであれば、タッチ入力情報は、利用者がタッチパネルに接触する圧力の強さを示す筆圧情報を含んでいてもよい。
【００２２】
機能選択部１２は、切り取り領域指定処理、手書き入力処理、および画像データ保存処理のいずれかを利用者が選択した結果を示す機能選択情報を保持するものである。この機能選択部１２における処理のより具体的な内容については、後述する。
【００２３】
切り取り領域指定部１３は、前記タッチ入力情報に応じて、表示画面に表示された画像から利用者に切り取られた領域（切り取り領域）を示す切り取り領域情報を、生成・削除・変更するものである。この切り取り領域指定部１３が切り取り領域情報を生成等する処理のより具体的内容についても後述する。
【００２４】
手書き情報付加部１４は、前記タッチ入力情報に応じて、利用者がタッチパネルに手書き入力した内容を示す手書き情報を生成し、編集情報管理部１５へ出力するものである。
【００２５】
編集情報管理部１５は、手書き情報付加部１４から入力される手書き情報と、切り取り領域指定部１３により生成される切り取り領域情報と、利用者により編集対象とされた画像データとを含む情報として、画像編集情報を記憶するものである。そして、編集情報管理部１５は、記憶された画像編集情報を、表示制御部１に逐次出力する。なお、編集情報管理部１５は、ＲＡＭ（Random Access Memory）の一部領域によって実現可能である。
【００２６】
画像データ保存部１６は、編集情報管理部１５から、利用者により編集対象とされた画像データと、手書き情報と、切り取り領域情報とを取り出し、切り取り領域に含まれる画像と手書き情報とを、編集済み画像情報として生成するものである。さらに、画像データ保存部１６は、編集済み画像情報を一時保存した後、記憶部２に出力する。そのように出力された編集済み画像情報は、記憶部２において保存される。
【００２７】
以上に説明したブロックにより、画像データ編集装置１０は構成される。そして、このように構成された画像データ編集装置１０は、各ブロックが協働し合うことにより、切り取り領域の指定が保持された切り取り領域指定状態で、表示画面への接触により利用者が手書き入力した内容を手書き情報として画像データに付加する。そして、画像データ編集装置１０は、切り取り領域に含まれる画像データの全部または一部と、手書き情報とを、記憶部２に保存する。以下、この画像データ編集装置１０の動作について、図２に示すフローチャートおよび図３に示す表示画面の遷移図を用いて説明する。
【００２８】
〔２．画像データ編集装置１０の動作について〕
まず、図２に示すように、利用者によってモード選択が開始される（ステップ１、以下、ステップは単に“Ｓ”と記載する）。このモード選択Ｓ１は、図３の（ａ）に示す初期画面において、利用者が機能選択インターフェース２０の表示部分に対応する入力部１１の部位へ接触することによって開始される。
【００２９】
また、図３の（ａ）に示すように、機能選択インターフェース２０は、矩形領域として表示されており、この機能選択インターフェース２０内には、工具アイコン２１と、カッターアイコン２２と、鉛筆アイコン２３と、色鉛筆アイコン２４とが表示されている。
【００３０】
工具アイコン２１は、データ保存処理（図２のＳ５）を実行するためのアイコンであり、カッターアイコン２２は、切り取り領域の指定処理（図２のＳ３）を実行するためのアイコンである。また、鉛筆アイコン２３および色鉛筆アイコン２４は、手書き入力処理（図２のＳ４）を実行するためのアイコンである。これらのアイコンにより実行される各処理の詳細については後述する。
【００３１】
そして、モード選択Ｓ１が実行されると、図２に示すように、利用者に選択されたモードを判断する機能判断Ｓ２が行われる。この機能判断Ｓ２は、利用者が接触した入力部１１の部位が、図３の（ａ）に示すアイコン２１〜２４のいずれの表示箇所に対応しているかを、機能選択部１２（図１参照）が判断することによって行われる。
【００３２】
まず、利用者が接触した入力部１１の部位が、カッターアイコン２２の表示箇所に対応している場合に実行される切り取り領域の指定処理（図２のＳ３）の概要について、以下に説明する。
【００３３】
〔２−１．切り取り領域の指定処理の概要〕
切り取り領域指定Ｓ３において、利用者は、表示画像に対応する入力部１１（図１）の部位に接触し、その接触を継続したまま所望の領域を囲むように線を描いた後、接触を解除する。このような利用者による入力部１１への接触から接触解除までの一連の操作（切り取り領域指定操作）によって、利用者により描かれた線により囲まれる領域が、切り取り領域として指定される。
【００３４】
なお、切り取り領域は、座標または方程式の情報である切り取り領域情報により示される。そして、切り取り領域情報は、切り取り領域指定部１３（図１）により生成され、編集情報管理部１５（図１）に記録される。
【００３５】
次に、切り取り領域指定操作について、図３の（ｂ）に示す切り取り領域指定画面を用いて説明する。図３の（ｂ）において、破線で示された領域３０・３１・３２が、切り取り領域として指定された領域である。
【００３６】
ここで、例えば領域３０が切り取り領域として指定される手順について説明する。まず、図３の（ｂ）において、“Ｍｅｍｂｅｒｓ”と表示された箇所の近傍に係る入力部１１の部位に、利用者が接触する。その接触を継続したまま、“Ｍｅｍｂｅｒｓ”と表示された領域を囲むように利用者が手書き入力により線を描くと、利用者により描かれた線が破線により表示される。その後、利用者が入力部１１（図１）への接触を解除すると、領域３０が切り取り領域として指定される。
【００３７】
また、領域３０を示す切り取り領域情報は、利用者が“Ｍｅｍｂｅｒｓ”の領域を囲む線を描いている最中に切り取り領域指定部１３（図１）によって生成されてもよい。あるいは、“Ｍｅｍｂｅｒｓ”の領域を囲む線を利用者が描き終わってから、切り取り領域指定部１３（図１）によって生成されてもよい。そして、領域３０を示す切り取り領域情報が生成されると、その切り取り領域情報が編集情報管理部１５（図１）に記録される。
【００３８】
さらに、利用者は、１つの領域（たとえば領域３０）に係る切り取り領域指定操作が完了してから、他の領域を切り取り領域として指定する切り取り領域指定操作を実施することで、切り取り領域指定操作を複数回行うことができる。つまり、図３の（ｂ）に示す領域３０に係る切り取り領域指定操作が完了してから、領域３１あるいは領域３２を切り取り領域として指定するための切り取り領域指定操作を実施する。
【００３９】
なお、領域３０に係る切り取り領域情報、領域３１に係る切り取り領域情報、および領域３２に係る切り取り領域情報のそれぞれは、各領域に係る切り取り領域指定操作が完了する度に、編集情報管理部１５（図１）に記録されてもよい。あるいは、全ての領域３０・３１・３２に係る切り取り領域指定操作が完了してから、編集情報管理部１５に記録されてもよい。さらに、領域３０・３１・３２のそれぞれに含まれる画像データも、編集情報管理部１５に記録される。
【００４０】
このようにして、図３の（ｂ）に示す複数の独立した領域３０・３１・３２が、複数回の切り取り領域指定操作により、切り取り領域として指定される。なお、「独立した領域」とは、当該領域が他の領域と重なっていないことを意味する。
【００４１】
なお、図３の（ｂ）に示す切り取り領域指定画面においても、利用者は、機能選択インターフェース２０の表示部分に対応する入力部１１の部位へ接触することによって、モード選択Ｓ１を行うことができる。例えば、図３の（ｂ）に示す切り取り領域指定画面において、利用者は、鉛筆アイコン２３の表示領域に対応する入力部１１の部位へ接触することで、画像データ編集装置１０に手書き入力Ｓ４を開始させることができる。
【００４２】
以上に概要を説明したとおり、図２に示す切り取り領域指定（Ｓ３）が実行される。
【００４３】
〔２−２．手書き入力処理の概要〕
また、図２の機能判断Ｓ２において、利用者が接触した入力部１１の部位が、鉛筆アイコン２３または色鉛筆アイコン２４の表示箇所に対応していると機能選択部１２（図１）により判断された場合、手書き入力処理Ｓ４が開始される。なお、鉛筆アイコン２３は、利用者が手書き入力した内容を黒色の線により表示するためのアイコンである。一方、色鉛筆アイコン２４は、利用者が手書き入力した内容を、利用者により選択された所望の色の線により表示するためのアイコンである。
【００４４】
この手書き入力処理Ｓ４において、利用者は、入力部１１への接触を継続したまま図画を描き、その後に接触を解除する操作（手書き入力操作）によって、編集対象の画像（図３の（ａ）に示される画像全体）に、手書き情報を付加することができる。つまり、図３の（ｃ）の手書き入力付加画面に示すように、利用者の手書き入力によって、文字４０および文字４１が描かれている。この文字４０を示す手書き情報、および文字４１を示す手書き情報が、編集対象の画像に付加されるのである。
【００４５】
なお、文字４０を示す手書き情報および文字４１を示す手書き情報は、それぞれ独立して、手書き情報付加部１４（図１）によって生成されるとともに、編集情報管理部１５（図１）へ記録される。
【００４６】
また、手書き入力操作は、切り取り領域を指定した状態においても行われる。つまり、図３の（ｃ）に示すとおり、領域３０・３１・３２が切り取り領域として指定された状態を保持したまま、文字４０を示す手書き情報と、文字４１を示す手書き情報とが、編集対象の画像に付加されるのである。
【００４７】
さらに、例えば、文字４０を示す手書き情報と、文字４０の近傍に表示された領域３１を示す切り取り領域情報とを対応づけて記憶してもよい。もちろん、文字４１を示す手書き情報と、文字４１の近傍に表示された領域３２を示す切り取り領域情報とを対応づけて記憶してもよい。これにより、利用者は、文字４０と領域３１とが互いに対応付けられた状態で利用することが可能となる。
【００４８】
なお、このような手書き情報と切り取り領域情報との対応付けは、たとえば次のように行うことができる。
【００４９】
すなわち、機能選択インターフェース２０内に、対応付けアイコン（図示せず）を表示する。そして、対応付けアイコンに対応する入力部１１の部位に利用者が接触することで、手書き情報と切り取り領域情報との対応付けが可能な状態とする。その後、利用者が対応付けを希望する切り取り領域に対応する入力部１１の部位へ接触した後に、利用者が対応づけを希望する手書き情報に対応する入力部１１の部位へ接触する。
【００５０】
このようにして、手書き情報と切り取り領域情報との対応付けを行うことができる。なお、手書き情報と切り取り領域情報とを対応付けるための対応情報は、画像データ保存部１６によって編集済み画像情報へ付加され、記憶部２へ保存されてもよい。また、対応付けアイコンの形状としては、利用者に画像の対応付けを想起させる形状、例えばフック形状とすればよい。
【００５１】
また、図３の（ｃ）に係る手書き入力付加画面においても、利用者は、機能選択インターフェース２０の表示部分に対応する入力部１１の部位へ接触することによって、モード選択Ｓ１を行うことができる。例えば、図３の（ｃ）に示す手書き入力付加画面において、利用者は、工具アイコン２１の表示領域に対応する入力部１１の部位へ接触することで、画像データ編集装置１０にデータ保存（図２のＳ５）を開始させることができる。
【００５２】
以上に概要を説明したとおり、図２に示す手書き入力（Ｓ４）が実行される。
【００５３】
〔２−３．データ保存処理〕
また、図２の機能判断Ｓ２において、利用者が接触した入力部１１の部位が、工具アイコン２１の表示箇所に対応していると機能選択部１２（図１）により判断された場合、データ保存処理Ｓ５が実行される。このデータ保存処理Ｓ５においては、切り取り領域に含まれる画像と、手書き情報とが、編集済み画像情報として記憶部２へ保存される。
【００５４】
例えば、図３の（ｃ）に係る手書き入力付加画面に示すように、切り取り領域として領域３０・３１・３２が指定されるとともに、文字４０および文字４１が手書き入力されているとする。この場合、画像データ保存部１６（図１）は、編集画像管理部１５から、領域３０・３１・３２のそれぞれに含まれる画像データと、文字４０に係る手書き情報と、文字４１に係る手書き情報とを取り出し、編集済み画像情報（図４参照）を生成する。このように生成された編集済み画像情報は、記憶部２に保存される。
【００５５】
以上に説明したとおり、図２に示すデータ保存（Ｓ５）が実行される。
【００５６】
〔３．切り取り領域指定処理に係る詳細〕
次に、図５に示すフローチャートに基づき、切り取り領域指定処理（図２のＳ３）に係るより詳細な内容について説明する。
【００５７】
先ず、利用者が入力部１１へ接触することで、画面タッチＳ３０１が開始され、タッチ入力情報が入力部１１により出力される。その後、タッチ入力情報により示される、利用者が接触した入力部１１の部位が、機能選択インターフェース２０（図３参照）の表示部分に対応する領域に含まれるか否かが判断される（Ｓ３０２）。このＳ３０２における判断は、機能選択部１２（図１参照）により行われる。また、機能選択インターフェース２０は、図３に示すように、カッターアイコン２２や鉛筆アイコン２３を含んでいることから、“筆箱エリア”と表現することも可能である。すなわち、図５のＳ３０２に記載された“筆箱エリア”とは、機能選択インターフェース２０を意味している。
【００５８】
そして、Ｓ３０２の判断において、利用者が接触した入力部１１の部位が、筆箱エリアに対応する領域に含まれていると判断された場合、機能選択部１２はモード選択Ｓ１を実行する。一方、利用者が接触した入力部１１の部位が、筆箱エリアに対応する領域に含まれていないと判断された場合、機能選択部１２は、タッチ入力情報を切り取り領域指定部１３（図１参照）に出力する。
【００５９】
このように機能選択部１２からタッチ入力情報が出力された後、切り取り領域指定部１３（図１参照）は、自身に入力されたタッチ入力情報が、一定時間連続した同一エリアへのタッチを示す情報であるか否かの判定を行う（Ｓ３０３）。Ｓ３０３における判断は、換言すれば、同一エリアへのタッチ時間が一定時間を超えるロングタップを利用者が行っているのか否かを判断している。
【００６０】
そして、Ｓ３０３における判断において、利用者がロングタップを行っていないと判断された場合、切り取り領域指定部１３は、切り取り領域を指定する処理を開始する（Ｓ３０４）。Ｓ３０４にて切り取り領域を指定する処理が開始されると、切り取り領域指定部１３は、連続して入力されているタッチ入力情報により示される座標群を、切り取り線情報として記録する。そして、利用者が入力部１１へのタッチを終了する（Ｓ３０５）と、切り取り領域指定部１３へのタッチ入力情報の入力が停止する。そして、タッチ入力情報の入力停止により、切り取り領域指定部１３は、切り取り領域指定処理を終了する（Ｓ３０６）。
【００６１】
なお、Ｓ３０４の後に切り取り領域を指定している際、利用者のタッチ入力に応じて、切り取り領域情報を変更してもよい。このような切り取り領域情報の変更は、例えば、切り取り領域を示す破線の一部を利用者がドラッグし、そのドラッグに追従するように切り取り領域の形状を変更することで行うことができる。あるいは、切り取り領域の形状を維持したまま、利用者のピンチイン／ピンチアウト操作に追従させて切り取り領域のサイズを変更することで行うことも可能である。このようにして切り取り領域情報が変更された場合、切り取り領域指定部１３は、その変更された切り取り領域情報を編集情報管理部１５へ出力する。
【００６２】
また、Ｓ３０６にて切り取り領域指定処理を終了する際、切り取り線情報にて示される座標群（切り取り線）が、一定の領域を囲む線になっていれば、切り取り領域指定部１３は、その領域を示す座標群または方程式を、切り取り領域情報として編集管理部１５へ出力する。なお、切り取り線が一定の領域を囲む線になっていなければ、切り取り線情報は消去される。
【００６３】
翻って、Ｓ３０３にて利用者がロングタップ（長押し）を行っていると判断された場合、切り取り領域指定部１３は、以下のようにタッチ位置判定（Ｓ３０７）を実行する。
【００６４】
Ｓ３０７においては、タッチ入力情報が示す座標が、既に指定されている切り取り領域に含まれるか否かが、切り取り領域指定部１３により判断される。Ｓ３０７の判断においてタッチ入力情報が示す座標が、切り取り領域に含まれていないと判断された場合、切り取り領域指定部１３は、切り取り領域指定を開始する（Ｓ３０４）。一方、Ｓ３０７の判断において、タッチ入力情報が示す座標が切り取り領域に含まれていると判断された場合、切り取り領域指定部１３は、ダイアログ表示（Ｓ３０８）を実行する。
【００６５】
例えば、図３の（ｃ）に示す手書き入力付加画面において、領域３０に対応する入力部１１の部位に利用者がロングタップしていた場合、図３の（ｄ）に示すように、切り取り領域のキャンセルの諾否を確認するダイアログ５０が表示される。
【００６６】
そして、ダイアログ５０には、図３の（ｄ）に示すように、Ｙｅｓボタン５１と、Ｎｏボタン５２とが含まれている。そして、利用者がＹｅｓボタン５１またはＮｏボタン５２に対応する入力部１１の部位へ接触すると、切り取り領域指定部１３は、領域キャンセル判定（Ｓ３０９）を実行する。
【００６７】
Ｓ３０９の領域キャンセル判定において、利用者がＮｏボタン５２に対応する入力部１１の部位に接触していると判定されると、ダイアログ５０が表示画面より消去される。
【００６８】
一方、Ｓ３０９の領域キャンセル判定において、利用者がＹｅｓボタン５１に対応する入力部１１の部位へ接触していると判定されると、領域解除Ｓ３１０が実行される。この領域解除Ｓ３１０においては、切り取り領域指定部１３は、切り取り領域の解除を行う。すなわち、編集情報管理部１５へ記録されている切り取り領域情報を削除する。
【００６９】
Ｓ３１０において解除の対象となる切り取り領域は、ロングタップ時に指定されている全ての切り取り領域としてもよいし、ロングタップ位置を含んでいる切り取り領域のみとしてもよい。例えば、図３の（ｄ）に示す表示画面において、Ｙｅｓボタン５１がタップされた場合、図３の（ｅ）に示すように、切り取り領域として指定されていた全ての領域３０・３１・３２が解除の対象とされてもよい。もちろん、ロングタップ位置を含む領域３１のみが、解除の対象となってもよい。
【００７０】
以上に説明したとおり、切り取り領域指定処理が行われる。なお、Ｓ３０６にて切り取り領域の指定処理が終了した場合、Ｓ３１０にて領域解除が実行された場合、およびＳ３０９にて“ＮＯ”の判断がなされた場合は、Ｓ３０１の画面タッチ開始処理に処理が戻る。
【００７１】
〔４．手書き入力処理の詳細〕
次に、図６に示すフローチャートに基づき、手書き入力処理（図２のＳ４）に係るより詳細な内容について説明する。
【００７２】
先ず、利用者が入力部１１への接触である画面タッチ開始Ｓ４１を行うと、入力部１１は、タッチ入力情報を出力する。その後、機能選択部１２は、タッチ入力情報により示される、利用者が接触した入力部１１の部位が、機能選択インターフェース２０（図３参照、筆箱エリアとも記載する）の表示部分に対応する領域に含まれるか否かを判断する（Ｓ４２）。
【００７３】
そして、Ｓ４２の判断において、利用者が接触した入力部１１の部位が、筆箱エリアに対応する領域に含まれていると判断された場合、機能選択部１２はモード選択Ｓ１を実行する。
【００７４】
一方、利用者が接触した入力部１１の部位が、筆箱エリアに対応する領域に含まれていないと判断された場合、機能選択部１２は、タッチ入力情報を手書き情報付加部１４（図１参照）に出力する。その後、手書き入力処理Ｓ４３が実行される。
【００７５】
手書き入力処理Ｓ４３において、手書き情報付加部１４は、連続して入力されているタッチ入力情報が示す座標群や筆圧の強さに応じて、手書き情報を生成する。そして、手書き情報付加部１４は、手書き情報を編集情報管理部１５（図１参照）へ出力する。そして利用者が入力部１１への接触を終了することで画面タッチが終了すると（Ｓ４４）、手書き入力処理Ｓ４３は終了する。
【００７６】
〔５．まとめ〕
本発明の一態様に係る画像データ編集装置は、表示画面に表示された画像データを編集するための画像データ編集装置（画像データ編集装置１０）であって、前記画像データに係る一部の領域を切り取り領域として指定する切り取り領域指定手段（切り取り領域指定部１３）と、前記切り取り領域の指定が保持された切り取り領域指定状態で、前記表示画面への接触により利用者が手書き入力した内容を手書き情報として前記画像データに付加する手書き情報付加手段（手書き情報付加部１４）と、前記切り取り領域に含まれる切り取り画像データの全部または一部、および前記手書き情報を、記憶装置（記憶部２）へ保存する切り取り画像データ保存手段（画像データ保存部１６）と、を備えている。
【００７７】
前記構成によれば、利用者により切り取られた画像データの一部の領域は、切り取り領域指定手段により切り取り領域として指定される。そして、手書き情報付加手段は、切り取り領域の指定が保持された切り取り領域指定状態で、利用者が手書き入力した内容を手書き情報として画像データに付加できる。
【００７８】
すなわち、利用者は、切り取り領域指定状態において、手書き入力を行うことができる。つまり、切り取られた画像を一旦保存した後に手書き入力を行う手間を省略することができる。
【００７９】
さらに、切り取り画像データ保存手段によって、前記切り取り領域に含まれる切り取り画像データの全部または一部、および前記手書き情報が、記憶装置へ保存される。これにより、切り取った画像と手書き情報とが一組として扱われて保存される。これにより、一組として保存された、切り取った画像および手書き情報を読み出す際も、切り取った画像と手書き情報とを一組として読み出すことが可能となる。
【００８０】
以上より、画像データから一部を切り取って手書き情報を加える際の利便性を向上することができる。
【００８１】
さらに、本発明の一態様に係る画像データ編集装置は、前記構成の画像データ編集装置において、前記切り取り領域指定手段が、前記切り取り領域指定状態で前記切り取り領域の追加を行う構成であってもよい。
【００８２】
前記構成によれば、利用者が編集対象の画像データのある領域について切り取り領域として指定し、その後、別の領域を切り取り領域として指定した場合、切り取り領域指定手段により、後で指定された切り取り領域が、先に指定された切り取り領域に追加される。
【００８３】
すなわち、同一の画像データにおける複数の領域を切り取り領域として指定することが可能となり、より多彩な切り取り領域の指定を行うことができる。
【００８４】
さらに、本発明の一態様に係る画像データ編集装置は、前記構成の画像データ編集装置において、前記切り取り領域指定手段が、前記切り取り領域指定状態で前記切り取り領域の全部あるいは一部の領域指定を解除する構成であってもよい。
【００８５】
前記構成によれば、利用者により一旦指定された切り取り領域の全部あるいは一部について、利用者が切り取り領域としての指定を解除した場合、切り取り領域指定手段により、切り取り領域の全部あるいは一部に係る領域指定が解除される。
【００８６】
これにより、利用者は、編集対象の画像データから一部の画像データを切り取る作業について、一部または全部をキャンセルすることができ、より画像データに対する切り取り作業の柔軟性を向上させることができる。
【００８７】
さらに、本発明の一態様に係る画像データ編集装置は、前記構成の画像データ編集装置において、前記切り取り領域指定手段が、前記切り取り領域指定状態で前記切り取り領域の一部または全部の領域について座標を変更する構成であってもよい。
【００８８】
前記構成によれば、利用者が切り取り領域の座標をタッチ操作により変更した場合、切り取り領域指定手段も切り取り領域の座標を変更する。
【００８９】
これにより、利用者は、画像データに設定した切り取り領域を移動させることができ、画像データを切り取る際の利便性をさらに向上させることができる。
【００９０】
さらに、本発明の一態様に係る画像データ編集装置は、前記構成の画像データ編集装置において、前記切り取り領域指定手段が、前記切り取り領域指定状態で前記切り取り領域の一部または全部の領域について、サイズを変更する構成であってもよい。
【００９１】
前記構成によれば、ピンチイン・ピンチアウト等の操作により、利用者が切り取り領域のサイズを変更した場合、切り取り領域指定手段も切り取り領域のサイズを変更する。
【００９２】
これにより、利用者は、画像データに設定した切り取り領域のサイズを変更することができ、画像データを切り取る際の利便性をさらに向上させることができる。
【００９３】
また、表示画面に表示された画像データを編集するための画像データ編集方法であって、前記画像データに係る一部の領域を切り取り領域として指定する切り取り領域指定ステップと、前記切り取り領域の指定が保持された切り取り領域指定状態で、前記表示画面への接触により利用者が手書き入力した内容を手書き情報として前記画像データに付加する手書き情報付加ステップと、前記切り取り領域に含まれる切り取り画像データの全部または一部、および前記手書き情報を、記憶装置へ保存する切り取り画像データ保存ステップと、を含むことを特徴とする画像データ編集方法も、本発明の範疇に含まれる。
【００９４】
また、表示画面に表示された画像データを編集するための画像データ編集プログラムであって、前記画像データに係る一部の領域を切り取り領域として指定する切り取り領域指定ステップと、前記切り取り領域の指定が保持された切り取り領域指定状態で、前記表示画面への接触により利用者が手書き入力した内容を手書き情報として前記画像データに付加する手書き情報付加ステップと、前記切り取り領域に含まれる切り取り画像データの全部または一部、および前記手書き情報を、記憶装置へ保存する切り取り画像データ保存ステップと、をコンピュータに実行させることを特徴とする画像データ編集プログラムも、本発明の範疇に含まれる。
【００９５】
本発明は上述した実施形態に限定されるものではなく、請求項に示した範囲で種々の変更が可能である。さらに、実施形態にそれぞれ開示された技術的手段を組み合わせることにより、新しい技術的特徴を形成することができる。
【００９６】
〔６．ソフトウェアによる実現例〕
最後に、画像データ編集装置１０の各ブロック、特に切り取り用域指定部１３、手書き情報付加部１４および画像データ保存部１６は、集積回路（ＩＣチップ）上に形成された論理回路によってハードウェア的に実現してもよいし、ＣＰＵ（Central Processing Unit）を用いてソフトウェア的に実現してもよい。
【００９７】
後者の場合、画像データ編集装置１０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである画像データ編集装置１０の制御プログラムのプログラムコード（実行形式プログラム、中間コードプログラム、ソースプログラム）をコンピュータで読み取り可能に記録した記録媒体を、上記画像データ編集装置１０に供給し、そのコンピュータ（またはＣＰＵやＭＰＵ）が記録媒体に記録されているプログラムコードを読み出し実行することによっても、達成可能である。
【００９８】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【００９９】
また、画像データ編集装置１０を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１００】
本発明は、表示画面に表示された画像データを編集する画像データ編集装置、表示画面に表示された画像データを編集するためのアプリケーションなどに利用することができる。
【０１０１】
例えば、表示画像を、切り取り、手書きを加えることのできる、電子スクラップブック、または、携帯端末などで動作するスクラップブックアプリケーション、として利用することができる。
【符号の説明】
【０１０２】
１０  画像データ編集装置
１３  切り取り領域指定部
１４  手書き情報付加部
１６  画像データ保存部
２    記憶部
【図１】
2014071539.tif 000003
【図２】
2014071539.tif 000004
【図３】
2014071539.tif 000005
【図４】
2014071539.tif 000006
【図５】
2014071539.tif 000007
【図６】
2014071539.tif 000008